(57)【要約】【課題】  大きな荷物は折畳んで収納すると折り皺が生じ体裁が悪い。荷物がない時は小さく畳んで携行し、あるいは収納できると便利である。また布製の折畳み鞄は荷物の大きさが内容物によって決まるので、角が潰れたりして、内容物を損なう危険がある。逆に厳重に段ボールなどで梱包すると、鞄としては、逐次物の出し入れがあるとき不便である。【解決手段】  長方形の背板の各辺に屈設した、各辺に平行に分節された４面があり、その隣り合う辺を任意の分節点まで接続することで、背板に垂直な鞄の厚みを任意の大きさに設定でき、さらに鞄の厚みを設定した余剰部を鞄の正面に回し、それを組み合わせることで堅牢な構造とし、加えて、背板を縦ないし横方向ないし双方向に伸縮することで、平面的にも伸縮し、上部を２重にして内容物の出し入れも容易にした荷物を圧迫することなくそれ自体で形状を維持できる容積可変の折り畳みハードケース鞄を提供する。【選択図】図１
2018130514.tif 000002
【特許請求の範囲】
【請求項１】
長方形の背板の各辺に屈設し、各辺に平行な折れ線で屈曲可能に分節化された変形の少ない硬い材料からなる４面を有して、少なくとも下方と側方の隣り合う辺同士を背板面から任意の分節点までを接続し、下方延長面は前記接続した分節点までを鞄の底部として形成した後、さらに折り曲げ正面を構成し、側方延長面は鞄の厚みを確保した後、さらに折り曲げ正面を構成する、荷物を圧迫することなくそれ自体で形状を維持できる容積可変の折り畳みハードケース鞄。
【請求項２】
請求項１の鞄において、背板が縦ないし横あるいは双方に伸縮可能であり、それと同期して各辺に屈設した各面も伸縮可能に構成された容積可変の折り畳みハードケース鞄。
【請求項３】
請求項１または２の鞄において、背板の上辺に屈設する上部延長面が二重になっていて、１つは外周部のみとなっており、側方延長面の隣り合う辺同を接続し鞄の厚みを確保した後、さらに折り曲げ鞄の正面を構成し、他方は前記で生じた上部の空隙を塞ぐ構成となる容積可変の折り畳みハードケース鞄。
【発明の詳細な説明】
【技術分野】
【０００１】  本発明は必要に応じて鞄の縦横の寸法とその厚さ方向のサイズを拡張可能にでき、不使用時は小さく畳んで収納あるいは携帯でき、しかも中身を圧迫することなく外形を保つことのできるハードケース鞄に関する。
【背景技術】
【０００２】  Ａ４，Ｂ４サイズの書類が入る鞄は多くあるが、Ａ３以上のサイズの資料などは二つ折りにして収納するほかなく、折り皺がつき体裁が悪い。【０００３】  Ａ３が入る鞄はサイズが大きくなりすぎて、普段持つには大きすぎる。【０００４】  物品を届ける、あるいは引き取るとき、行きあるいは帰りの片道は、大きなバッグは不必要であり、その部分は折り畳んで携帯できると便利である。【０００５】  布などでできている折り畳みバッグは多数あるが、書類など入れる場合あるいは多量のものを入れる場合、内容物が圧迫されて、角がつぶれるなど内容物を損なう危険がある。【０００６】  内容物を圧迫せずに梱包、移送するための手段として、段ボールによる梱包が一般的であるが、内容物を取り出すためには梱包を解除する必要があり、内容物を逐次出し入れする必要のある鞄としては不便である。
【先行技術文献】
【特許文献１】特開２００９−１５３６４９
【特許文献２】特表２０１０−５００９０３
【特許文献３】特開２００１−１２８７１９
【０００７】手提げ袋状のソフトケースの折り畳みの考案は多くある。特許文献１のように持ち運び等は非常に簡便で便利であるが、荷物の大きさは内容物で決定されるので、内容物が圧迫されて、角がつぶれるなど内容物を損なう危険がある。
【０００８】  特許文献２のようにハードケースの場合は折りたたんでも二つ折りが限度と思われる
【０００９】  特許文献３のように奥のケースと手前のケースを中間部分の機構により荷物の厚みを拡張して容量を拡張する考案は多くあるが同時に平面的にも拡大する例はない。
【発明の概要】
【発明が解決しようとする課題】
【００１０】ハードケースの場合奥行き方向の大きさを調整できるものがあるが、縦横の大きさを調整できる機構はなく、縦横の大きさも荷物により調整できる鞄が便利である。【００１１】荷物を受け取る、あるいは、引き取る場合、荷物のない片道は、大きな鞄を持つことは、労力が必要で無駄がある。【００１２】  その点、布製の折り畳み鞄は便利であるが、中身の大きさで鞄の大きさが決まるので、書類の角が損傷して角が丸くなってしまうなど不体裁である。【００１３】  段ボール収納は内容物を圧迫することはないが、内容物を逐次出し入れする鞄の場合は梱包を解かないと内容物を取り出せないので不便である。
【課題を解決するための手段】
【００１４】  本発明は上記目的を達成するために、長方形の背板の各辺に屈設し、各辺に平行な折れ線で屈曲可能に分節化された変形の少ない硬い材料からなる４面を有して、少なくとも下方と側方の隣り合う辺同士を背板面から任意の分節点までを接続し、下方延長面は前記接続した分節点までを鞄の底部として形成した後、さらに折り曲げ正面を構成し、側方延長面は鞄の厚みを確保した後、さらに折り曲げ正面を構成する、荷物を圧迫することなくそれ自体で形状を維持できる容積可変の折り畳みハードケース鞄を考案したものである。【００１５】  第二の解決手段は上記の鞄において背板が縦ないし横あるいは双方に伸縮可能であり、それと同期して各辺に屈設する各面も伸縮可能に構成された容積可変の折り畳みハードケース鞄である。【００１６】  第３の解決手段は背板の上辺に屈設する上部延長面が二重になっていて、１つは外周部のみとなっており、側方延長面の隣り合う辺同を接続し鞄の厚みを確保した後、さらに折り曲げ鞄の正面を構成し、他方は前記で生じた上部の空隙を塞ぐ構成となる容積可変の折り畳みハードケース鞄である【００１７】  上記第一の課題解決手段による作用は、長方形の背板に屈設している延長部、または側面部はその辺に平行に分節化していて、また硬い材料で作られているので、辺を中心に回動する。背板の隣り合う２辺に屈設下二つの延長面または側面部の隣り合う２辺を任意の分節点まで接続することで、互いの変動に共通する、背板に対してその頂点に立つ垂線を含んだ形状に拘束される【００１８】  また、延長部分あるいは側面部の鞄の厚みを形成した後の余剰部分をさらに９０度折って鞄の正面を構成し、内側の部材が外側に突っ張り、それを外側の部材が締め付けることができる。【００１９】  上記第２の課題解決手段による作用は、背板を縦横に分割し、それぞれ摺動して伸縮可能とする。その折、上部および下部延長面、側面部ともに背板と同期して伸縮するので、請求項１の鞄の厚みを作る仕組みの背板の角を共有する隣り合う２辺の関係は変動しない。【００２０】  上記第３の課題解決手段による作用は、延長部の隣り合う２辺を任意の分節点まで接続して、鞄の厚みを確定した後、その余剰部が正面を構成する際に、内側に位置した部材が外側に突っ張り、それを外側の面がベルトと留め具で締め付けることが鞄の堅牢な構成に必要であるが、鞄の上部延長部を２重にし、一方を外形のみの穴あき延長部とし、そこで上記の構造上の役割を負わせ、他方はその穴を塞ぐのみの構成とした。
【発明の効果】
【００２１】  第１の解決手段による効果は、背板の辺に屈設した辺に平行に分節化された延長部の隣り合う２辺を任意の分節点まで接続することで、鞄の厚みを任意の大きさで安定的に得られることにある。それを解けば屈曲可能な板状になり容易に折りたためる。【００２２】  また、延長部あるいは側面部の鞄の厚みを設定した後の余剰部を鞄の正面部で組み合わせてバンドと留め具で締め付けることで鞄の正面でもより堅牢な外形を得ることができる。【００２３】  そうしたことで、厚さを調節できる折り畳みハードケース鞄として、荷物の量によって厚さを調節できること、折り畳み鞄であることで荷物がないときは小さく折りたたんで収納あるいは携帯することができること、ハードケースであることで中身を圧迫して角がつぶれたりする危険が少ないことなどの効果がある。【００２４】  第２の解決手段による効果は、縦横に拡大できることで、固定式の鞄では折りたたんでしか収納できない内容物も折り目を付けずにそのまま運べること、また不必要に大型の鞄を常に持ち歩かなくても済むことなどがある。【００２５】  第３の解決手段による効果は、鞄の構造を安定的にしたまま、鞄の上部を開放して内容物を取り出すことのできる便利さがあるとともに、鞄の上部を堅牢にして、手提げや、肩下げ、あるいはリュック形式に鞄を背負ったりする場合に、鞄を折り曲げようとする力への耐力を高めることができることなどがある。
【図面の簡単な説明】
【００２６】
【図１】折り畳みハードケースの折り畳み時の大きさイメージとそれを展開、拡大した大きを左半分に示す。右半分は拡大した背板の上下左右に連続した板材を角から発するファスナーで一体化して鞄の厚みを形成した後、余剰の部分を鞄の正面に回しこんでベルトと留め具で止めることで鞄を形成する様子を表している。
【図２】背板の拡張がない場合の鞄の展開、形成の過程を表す
【図３】図２の続き
【図４】背板の横方向の拡大の様子を表す
【図５】背板の縦方向の拡大の様子を表す
【図６】背板とそれに連続する上部延長部と下部延長部の横方向の拡大の様子を表す
【図７】背板とそれに連続する左右側面の縦方向の拡大の様子を表す
【図８】背板と側面の横断面
【図９】背板下部と背板移動部縦断面
【図１０】４分割された背板と延長部の展開図（右上）
【図１１】４分割された背板と延長部の展開図（右下）
【図１２】４分割された背板と延長部の展開図（左上）
【図１３】４分割された背板と延長部の展開図（左下）
【図１４】背板の拡張がある場合の鞄の展開、形成の過程を表す
【図１５】図１４の続き
【図１６】下部および上部延長部の正面係止の方法
【図１７】鞄の最小、最大サイズの縦断面
【図１８】カラビナによる側面接続図
【図１９】縦移動ストッパー機構図
【図２０】取っ手の姿
【図２１】肩下げ、ショルダーの姿
【発明を実施するための形態】
【００２７】  図１は左半分は折りたたみを展開したものをさらに縦横方向に拡大した様子を表している。中ほどにあるななめハッチの部分が折りたたみ時の大きさのイメージである。背板は縦横方向それぞれに２分割されて都合４面に分かれている。背板につながる延長部も背板と同じようにレールとガイドを設置して拡大されるので、４分割された延長部には縦横方向の延長部がそれぞれ一つずつ計２面が４つの角を共有するようになる。
【００２８】  図１の右半分は角から発するファスナーで隣り合う二面の延長部分が一体化されて、鞄の厚みが一部形成されている様子を表している。鞄の厚みを設定して余剰となった部分は一部鞄の正面に回り込み、鞄の正面（背板の対面方向の面）を形成している。
【００２９】  簡単のため、背板の拡大のない場合の鞄の構成を説明する。まず図２（１）は折りたたんだ状態を示す。図２（２）は背板の長い面を横線、短い辺を縦線として、上辺に上延長面、下辺に下延長面、左右に側面部が半分展開された状態、図２（３）は展開された状態を示す。図２（４）は上延長部と左右側面部の上辺の２角から発するファスナーで一体化して鞄の厚みを形成した様子、続いて図２（５）で下延長部が下２角で側面部と一体化した様子を表している。図３は図２の続きであるが図３（１）で下延長部が鞄の厚みを設定した余剰の部分を鞄の正面に回した様子、同様に図３（２）で上部延長面の鞄の厚みを設定した余剰の部分を鞄の正面に回した様子を表している。図３（３）で側面部の鞄の厚みを設定した余剰の部分を鞄の正面に回して、上部、下部延長面の正面に折りたたんだ部分にかぶせるようにし、鞄の形状を形成している。図３（４）はそれをベルトと留め具で止め鞄を横方向に締め付け安定させたのちに、上部延長面のフタを閉じている。図３（５）はそれを起こして鞄上部を上にしている。
【００３０】  背板の横移動を説明する。図４（１）は２枚の背板が重なっている状態を示している。横方向上下にはレールとガイドがそれぞれ固着して左右に摺動する、図４（２）は拡大時の様子である。レールとガイドは展開時においても一部重なる部分が残るようにしてあって、くの字にねじれたりしないように横移動が正常に行われるようにしてある。
【００３１】  縦方向の移動について説明する。図５（１）、図９（２）は背板を背板下部と上部移動部に分割し、レールとガイド双方の同じ方向に設置して、二つの部位が同一平面上になるようにしてある。背板下部に固着するガイドはその上端までで終わるが、そのガイドと摺動可能に組み合わさったレールは背板下部の上端より上で上部移動部に固着する。
【００３２】  横移動に際しての上下延長部の挙動について説明する。図６（１）は背板の上辺、下辺にそれぞれ上部延長部、下部延長部が連続している状態を示す。背板、上部延長部、下部延長部それぞれに正常な横移動をさせるため、それぞれのほぼ両端に１対２組のガイドとレールのセットを摺動可能に設置している。図８は横移動断面図である。図６（２）に断面位置が書いてあるが、奥背板と手前背板の間にレール＋ガイドが横摺動可能に設置されている。
【００３３】    縦移動に際しての左右延長部の挙動について説明する。横移動と違って背板は背板下部と背板移動部に同一面で分割さてガイドとレールをおおむねその両端に設置されている。側面部も側面下部と側面移動部に分割されて、ほぼその両端にガイドとレールのセットを１対二組を設置して縦移動のブレが少ないようにしてある。
【００３４】  図９（１）は横移動レール＋ガイドの姿である。図９（２）（３）は縦断面である。（図表現は９０度回転している）（断面位置は図７（２）にある）横移動と縦移動の考え方の違いについて説明する。横移動は背板をおおむね２分割して、奥背板と手前背板の２枚としその間に横移動のためのレールとガイドを設置している。縦移動のガイドとレールは横移動背板同士の間は横方向レール＋ガイドがあるためその背面と手前面に設けざるを得ないが、さらにその外側に縦移動背板を設けると都合一番外側の板同士はガイドレール３つ分、板（横移動背板）２枚分離れることになる。必要な鞄の厚みを設定した後に余剰部分を９０度折って鞄の正面に回す必要があり、厚みが大きいと折り曲げが事実上できないので縦移動については上下板を同一面になるようにした。
【００３５】  背板が４分割された時の、背板と延長部の相関を示す。図１０は正面から見て右上部分をハッチ部で示す。奥背板移動部の上部に奥上部延長部、右に奥側面移動部が接続する。延長部の２辺は右上の角を共有する。図１１は正面から見て右下部分をハッチで示す。奥背板下部の下部に奥下部延長部、右側に奥側面下部が続く。図１２は正面から見て左上部分をハッチで示す。手前背板移動部の上部に手前上部延長部、左側に手前側面移動部が接続する。左上の角を共有する。図１３は左下の部分をハッチで示す。手前背板下部の下部に手前下部延長部、左に手前側面下部が続く。左下角を共有する。
【００３６】  背板拡大の場合に、展開する鞄形成の順序を説明する。延長部の動作は背板が固定されている時と同様である。図１４（１）は折りたたまれた状態である。図１４（２）は背板の上部延長部、下部延長部を展開した状態、図１４（３）は左右側面部を展開した状態を表している。図１４（４）は横方向に拡大した様子で、ハッチ部は背板の範囲を示す。同様に図１４（５）縦方向の展開を行った状態で、縦横とも折り畳みのときから１．５倍ほどの大きさになっている。背板の４角にはそれを共有する延長部を持ち、延長部の隣り合う辺をファスナーで止めることで背板に垂直方向の鞄の厚みを設定することができる（図１４の続きとして図１５（１））。図１５（２）にて下部延長部と上部延長部の鞄の厚み設定後の余剰部を鞄の正面に回して鞄下部および上部を形成する。同様に図１５（３）で側面部の鞄厚み設定後の余剰部を正面に回して、鞄両脇を、さらに図１５（４）で上部延長部のフタ部分をの正面に回し鞄の前面上部を形成する。
【００３７】  横移動の位置決めの方策を説明する。図８（２）にみられるように左右の移動の大きさを規定するように、奥背板、奥上部延長部、奥下部延長部それぞれに、ガイドとレールのセットの中間部分に、マジックテープの雌型を張り付け、それに対応する手前背板、手前上部延長部、手前下部延長部端部のそれぞれにマジックテープ雄型を張り付け、任意の位置に両者の位置ずれが進行しないようにする。
【００３８】  横移動の限界範囲を決める方策を説明する。図８（３）にみられるように奥背板に、移動限界の凸部を設け手前背板の端部に鉤状の部材を設け、前記の凸部に引っかかるようにして、それ以上の移動を止めるようにする。
【００３９】  縦移動の位置決めの方策を説明する。図９（３）にみられるように上下の移動の大きさを規定するように背板、右側板、左側板それぞれについて、ガイドとレールのセットの中間部分に、マジックテープの雌型を張り付け、目隠しボード端部にマジックテープ雄型を張り付け、両者を最低３か所接着させることで、任意の位置に両者が位置ずれしないようにできる。
【００４０】  さらに移動の範囲を規定するために図９（３）に見られるように背板に、移動限界の凸部を設け目隠しボード端部に鉤状の部材を設け、前記の凸部に引っかかるようにして、それ以上の移動を止めるようにする。
【００４１】  縦移動はレール、ガイドのセットに対して同じ方向に背板と移動板があるので、縦拡張した場合、隙間が空いて中身が露出してしまう。そこで固着部分の反対側に目隠しと構造補強のためにボードを貼る。（図９（２）、（３））
【００４２】  背板の横移動と縦移動の機構を併設するとき、奥背板下部と奥背板移動部を縦移動するガイドレールが、奥背板下部と手前背板下部の間は横移動のためのガイドとレールに使われ、鞄の内部方向の正面は手前背板下部と、手前背板移動部のガイドレールで使用されているので、奥背板下部の裏に設置され、さらにその裏側に目隠し補強版が設置されることになる。（図９（３））
【００４３】  さらにその場合の奥側面下部と奥側面移動部、同様に手前側面下部と手前側面下部と手前側面移動部の縦移動のガイドとレールは、上記のようにスペースが他の機構に使われていることがないので、鞄の内側（手前側）に設置する。そうすることでマジックテープの位置決めなども手前側面手前背板、奥側面とも一方向から調節可能で便利である。そのとき、奥背板下部と奥背板移動部はそれぞれ手前背板下部と手前背板移動部に横移動のガイドレールによって拘束されているので、縦移動の位置決めの仕組みは不要と考える。（図８（１）、（２））
【００４４】  背板から下部に連続する下部延長部と背板の左右に連続する側面部の下方に隅から発するファスナーで、鞄の厚み方向の辺を形成する。その後下部延長部は鞄の正面に回って鞄の下部を構成する。その端部が鞄正面の平面に正しく位置することは、鞄の形態維持のため重要である。この面が鞄の中に落ち込んでいくと次に正面に回り込む側面部を外側に突っ張ることができず、鞄の立体を維持できない。そこで下部延長部の先端にマジックテープの雄型をセットし、側面部の補強板の上に、分節化された部分に帯状にマジックテープの雌型を張り付けて、両者一体化することで下部延長部が鞄正面下部からずれないようにする。
【００４５】  その場合底面からのマジックテープの距離は縦方向の移動の度合いにより異なる。図１６（１）、図１６（２）にみられるように側面補強板につくマジックテープは縦方向に移動可能距離分の長さが必要となる。
【００４６】  同様に背板から上部に連続する上部延長部と背板の左右に連続する側面部の上方に隅から発するファスナーで、鞄の厚み方向の辺を形成する。その後上部延長部は鞄の正面に回って鞄の正面を構成する。その端部が鞄正面の平面に正しく位置することは、鞄の形態維持のため重要である。ただし側面補強板は上部移動部と一体で移動するので、下部と違ってマジックテープの位置は、鞄の厚さと正面角からの離れが一定になるように設定される。
【００４７】  背板から上部に連続する上部延長部と背板の左右に連続する側面部の隣り合う二辺をファスナーで一体化することで鞄の厚みを確定するのが一番安定的である。それを上部延長面を二重にしたもののうち内側の面で行う。外側の面は上部から前面を覆う鞄のふたになり、鞄の中身の出し入れのときに使われる。
【００４８】  素材は軽量でかつ捻じれや圧縮に耐えられる樹脂素材が適当である。しかし、折れ曲がり点が多数あることで、折れ曲がり点で断裂しないようにワイヤーか繰り返し折り曲げに強い樹脂やシートの併用が好ましい。内部に埋め込んだり、内側に張り付けたりする。あるいは帯状に編んだものに樹脂材を挟み込むのもよい。あるいは短冊状の樹脂板を両側から布で挟み隙間を縫い合わせて分節化された連続面としてもよい。ガイドとレールは樹脂製で素材溶着が好ましいが、破損したときの交換ができるように、ビス止めも可能である。
【００４９】  鞄の大きさが可変であることへの対処を説明する。図１７（１）は最小の設定の鞄であり、ＡＢが背板、ＢＣが底部、ＣＤが正面、ＤＡが上部である。同じく図１７（２）は最大の設定の鞄であり、ＥＦが背板、ＦＧが底部、ＧＨが正面、ＨＥが上部である。背板は拡大するが、上部延長面、下部延長面とも背板と同期して拡大するので、縦断面の説明で十分である。
【００５０】  ＡからＤ方向に、ＥからＨ方向に上部延長面がある。同様にＢからＣ方向に、ＦからＧ方向に下部延長面がある。
【００５１】  上部延長面について、側面の隣り合う辺を接続することで鞄の厚みを設定するが、その端部すなわち正面の上辺を安定させるために、上部延長面の鞄の上部を確保した後の余剰分を９０度さらに折り曲げて、鞄の正面に回しこみ、それを同様に側面で余剰となった端部で外側から拘束することが重要である。下部延長面も同様であるが、余剰になった部分の構造的に必要な部分を構造材と呼ぶことにする。
【００５２】  理解を助けるために、最小の設定を縦２１５ミリメートル、幅９０ミリメートル、最大の設定を３２５ミリメートル、幅２７０ミリメートルとする。最大のとき正面に３０ミリメートル回しこむとき、背板底板より構造材は３００ミリメートル必要である。この時、下部構造材は最小の時、正面のほぼ上端まで、同様に上部構造材は正面の下部まで達する。
【００５３】  一方最大のとき、下部延長面構造材、上部延長面構造材の端部同士は２６５（＝３２５−６０）ミリメートル距離がある。この部分は正面の隙間を埋めるためのものであり、構造材のように耐力は必要としないので、布製あるいは樹脂でも比較的簡便なものを用いる。そのため最小のときの上部延長部と下部延長部の間に折りたたんで収納する。（図１７（１）
【００５４】  図１６図では上部延長面、下部延長面端部を側面にマジックテープで止めるとしたが、はがれやずれの恐れがあるため、図１８のように側面の分節線に穴あきネットを縫い付けて、それに端部をカラビナ２１で止めるのもよい。その場合、端部と緊張関係を保つために、ゴム２２で端部を側面に引き付けるようにする。
【００５５】  鞄は側面上部延長面に留め金を設けて、吊り下げることが考えられる。ただ上部延長面は下部構造より、奥と手前の背板、両側面で一対ずつ都合８か所で繋がっているだけなので、構造耐力上弱いという危惧がある。さらに上部構造の下部構造への位置決めがマジックテープ３カ所であるため、図１９のように鋸歯状の縦移動ストッパー受けと、それに位置を変えながらかみ合うストッパーがよい。
【００５６】  持ち運びには、肩さげ（図２１（１））、持ち手（ズ２０（３））、ショルダー（図２１（２））の三通りが好ましい。しかしサイズが可変であること。鞄はハードケースではあるが、樹脂製であり曲げなどの外力に十分な耐力がないので、負担は最小限にする必要がある。実際は両側面下部の上端で受け、鞄の下部にベルトが回るようにする。荷重は上記支点から垂直にあげ、鞄の上面近くで伸縮可能なバー材の両端でつりさげる。持ち手、肩さげ、ショルダーの支点はそのバー材の適当な位置からとるようにする。
【産業上の利用可能性】
【００５７】  今回Ａ３の書類が入らないサイズのものが、拡大することでＡ３が入る範囲で設定したが、さらに大きいサイズでの実施は可能である。鞄の厚さ部分まではある程度剛性のあるものでないと形態が保てないが、それ以降は軽量の布でもよくその場合は収納の量も大幅にあげることができる。すなわち正面のカバーは布製あるいはワイヤー入りの布として、畳んでおき使用時に正面部分を覆って、あとはベルトとワイヤーで止めれば大型のバッグとしても使える。【００５８】  また今回背板を２分割にしてしたが、３重にするなど拡張の割合をさらに大きくすることもできる。【００５９】  また事務用品として、容積可変の入れ物としても使用可能である
【符号の説明】
【００６０】１００  背板
１０１  奥背板移動部
１０２  奥背板下部
１０３  手前背板移動部
１０４  手前背板下部
２００  上部延長部
２０１  奥上部延長部
２０２  手前上部延長部
２０３  奥上部延長フタ
２０４  手前上部延長フタ
２０５  上部延長フタ
３００  右側面
３０１  奥側面移動部
３０２  奥側面下部
４００  下部延長部
４０１  奥下部延長部
４０２  手前下部延長部
４０３  下部延長部構造部分
４０４  下部延長部非構造部分
４０５  下部延長部構造部分端
４０６  下部延長部非構造部分端
５００  左側面
５０１  手前側面移動部
５０２  手前側面下部
１      鞄厚み
２      ファスナー
３      横移動レール＋ガイド
４      縦移動レール＋ガイド
５      背板角
６Ａ    横位置決めマジックテープ（雌）
６Ｂ    横位置決めマジックテープ（雄）
７Ａ    縦位置決めマジックテープ（雌）
７Ｂ    縦位置決めマジックテープ（雄）
８      縦移動補強板
９      折りたたみ時大きさ
１０Ａ  上延長部端部位置決めマジックテープ（雌）
１０Ｂ  上延長部端部位置決めマジックテープ（雄）
１１    ストッパー
１２    上部補強フレーム
１３    上部補強フレーム位置決めマジックテープ
１４    携行用バー
１５    下部ベルト
１６    つなぎベルト
１７    鞄外形
１８    ベルト
１９    留め具
２０    穴あきネット
２１    カラビナ
２２    ゴム
２３    縦移動ストッパー受け
２４    縦移動ストッパー
【図１】
2018130514.tif 000003
【図２】
2018130514.tif 000004
【図３】
2018130514.tif 000005
【図４】
2018130514.tif 000006
【図５】
2018130514.tif 000007
【図６】
2018130514.tif 000008
【図７】
2018130514.tif 000009
【図８】
2018130514.tif 000010
【図９】
2018130514.tif 000011
【図１０】
2018130514.tif 000012
【図１１】
2018130514.tif 000013
【図１２】
2018130514.tif 000014
【図１３】
2018130514.tif 000015
【図１４】
2018130514.tif 000016
【図１５】
2018130514.tif 000017
【図１６】
2018130514.tif 000018
【図１７】
2018130514.tif 000019
【図１８】
2018130514.tif 000020
【図１９】
2018130514.tif 000021
【図２０】
2018130514.tif 000022
【図２１】
2018130514.tif 000023